(57)【要約】【課題】  容易に開くことができ、構造が簡単な折り畳み型携帯通信端末機を提供する。【解決手段】  表示部側筐体１−１と操作部側筐体２とがヒンジ部３−１により開閉自在に連結された折り畳み型携帯通信端末機１０の表示部側筐体１−１の表示面１２と側面５とが形成するほぼコの字形状の辺のうちのヒンジ部３−１の近傍を面取りしてスロープ４−１を設けたことにより、表示部側筐体１−１を閉じたときに表示部側筐体１−１と操作部側筐体２との間に空間１１が形成される。この空間１１にユーザが指を挿入することにより、表示部側筐体１−１が自然に押し上げられて開く。従って、表示部側筐体１−１の辺１４にスロープ４−１を設けるという簡単な構成により、容易に開くことができる折り畳み型携帯通信端末機が得られる。【選択図】  図１
2005159390.tif 000002
【特許請求の範囲】
【請求項１】
表示部を有する表示部側筐体と操作部を有する操作部側筐体とがヒンジ部により開閉自在に連結された折り畳み型携帯通信端末機において、
前記表示部側筐体の表示部側主面と側面とが形成する辺のうちの前記ヒンジ部の近傍を面取りしてスロープを設けたことを特徴とする折り畳み型携帯通信端末機。
【請求項２】
前記スロープと前記操作部側筐体とが形成する空間の大きさは指の先端が挿入可能な大きさを有することを特徴とする請求項１記載の折り畳み型携帯通信端末機。
【請求項３】
前記スロープは、前記ヒンジ部から離れる方向に向かって前記表示部側主面に対して徐々に傾斜するように形成したことを特徴とする請求項１または２記載の折り畳み型携帯通信端末機。
【請求項４】
前記表示部側筐体は、前記表示部側主面の反対側の主面に副画面を有することを特徴とする請求項１から３のいずれか１項記載の折り畳み型携帯通信端末機。
【請求項５】
前記スロープは、前記表示部側筐体の両側面若しくはいずれか一方の側面に形成されていることを特徴とする請求項１から４のいずれか１項記載の折り畳み型携帯通信端末機。
【請求項６】
前記スロープは、平滑に形成されていることを特徴とする請求項１から５のいずれか１項記載の折り畳み型携帯通信端末機。
【発明の詳細な説明】
【技術分野】
【０００１】
本発明は、表示部側筐体と操作部側筐体とがヒンジ部により開閉自在に連結された折り畳み型携帯通信端末機に関する。
【背景技術】
【０００２】
図６は、従来の折り畳み型携帯通信端末機としての折り畳み型携帯電話機の外観斜視図である。
同図に示す携帯電話機６０は、表示部側筐体１と操作部側筐体２とがヒンジ部３により開閉自在に連結された構造を有しており、ヒンジ部３に表示部側筐体１の開位置（図示せず）と、図に示す閉位置とを規制するロック機構７を内蔵させたものである（例えば、特許文献１参照）。
【０００３】
同図に示す携帯電話機の開く動作について説明する。
同図において、ロック機構７としての開ボタン機構は携帯電話機６０を開く為だけに必要な専用部材であって、操作部側筐体２の筒状部にヒンジシャフトを回転不可、摺動可能に構成し、ヒンジシャフトに表示部側筐体１を回動可能に組み込み、表示部側筐体１の閉位置と開位置とを規制するロック機構である操作部側筐体２に設けたラチェットプレート（いずれも図示せず）と表示部側筐体１の筒状枢支部との結合をヒンジシャフトの押動操作によって解除するようになっている。
【０００４】
図７は、従来の他の折り畳み型携帯通信端末機の外観斜視図である。
同図に示す折り畳み型携帯通信端末機としての携帯電話機７０は、表示部側筐体１と操作部側筐体２とがヒンジ部３により開閉自在に連結された構造を有しており、表示部側筐体１に外部に露出したアンテナ（ホイップアンテナ）８を有している。
【０００５】
同図に示す折り畳み型携帯電話機の開く動作について説明する。
同図に示す携帯電話機７０を開くときは、例えば操作部側筐体２を片手でホールドしたまま表示部側筐体１のアンテナ８をズボン等に引っかけて開けることが行われている。
【特許文献１】実用新案登録第３０８８３３２号公報
【発明の開示】
【発明が解決しようとする課題】
【０００６】
ところで、前述した従来技術のうちの前者は、専用システムである開閉ボタン機構７を設ける為、部品点数増加によるコストアップや、ＡＳＳＹ費（アッセンブリー費：組立費）アップや、装置の小型化が難しい等のデメリットがあった。
【０００７】
また、前述した従来技術のうちの後者は、操作部側筐体２を片手でホールドし表示部側筐体１を開ける時に、表示部側筐体１にあるアンテナ８をもう片方の手で持ち上げる様に開ければ、容易に開ける事ができるが両手を使う必要があった。
さらに、表示部側筐体１にアンテナ８を有しない構造の折り畳み型携帯通信端末機に於いては開く動作が閉じる動作より困難になり、しかも表示部側筐体１を掴む部位も無い為、開ける動作が容易で無かった。
そこで、本発明の目的は、容易に開くことができ、構造が簡単な折り畳み型携帯通信端末機を提供することにある。
【課題を解決するための手段】
【０００８】
上記課題を解決するため、請求項１記載の発明は、表示部を有する表示部側筐体と操作部を有する操作部側筐体とがヒンジ部により開閉自在に連結された折り畳み型携帯通信端末機において、前記表示部側筐体の表示部側主面と側面とが形成する辺のうちの前記ヒンジ部の近傍を面取りしてスロープを設けたことを特徴とする。
請求項１記載の発明によれば、折り畳み型携帯通信端末機の表示部側筐体の表示面と側面とが形成する辺のうちのヒンジ部の近傍を面取りしてスロープを設けたことにより、表示部側筐体を閉じたときに表示部側筐体と操作部側筐体との間に空間が形成される。この空間に指を挿入することにより、表示部側筐体が自然に押し上げられて開く。従って、表示部側筐体の表示面と側面とが形成するほぼコの字形状の辺のヒンジ部近傍にスロープを設けるという簡単な構成により、容易に開くことができる。
【０００９】
請求項２記載の発明は、請求項１記載の発明において、前記スロープと前記操作部側筐体とが形成する空間の大きさは指の先端が挿入可能な大きさを有することを特徴とする。
【００１０】
請求項３記載の発明は、請求項１または２記載の発明において、前記スロープは、前記ヒンジ部から離れる方向に向かって前記表示部側主面に対して徐々に傾斜するように形成したことを特徴とする。
【００１１】
請求項４記載の発明は、請求項１から３のいずれか１項記載の発明において、前記表示部側筐体は、前記表示部側主面の反対側の主面に副画面を有することを特徴とする。
【００１２】
請求項５記載の発明は、請求項１から４のいずれか１項記載の発明において、前記スロープは、前記表示部側筐体の両側面若しくはいずれか一方の側面に形成されていることを特徴とする。
【００１３】
請求項６記載の発明は、請求項１から５のいずれか１項記載の発明において、前記スロープは、平滑に形成されていることを特徴とする。
【００１４】
すなわち、本願発明では、操作部側筐体を片手でホールドし表示部側筐体を開ける時に、表示部側筐体の側面に設けたスロープを利用しホールドした手の親指をスロープに沿って滑る様に移動させるだけで表示部側筐体を片手で容易に開ける事を可能にしている。
【発明の効果】
【００１５】
表示部側筐体と操作部側筐体とがヒンジ部により開閉自在に連結された折り畳み型携帯通信端末機の表示部側筐体の表示面と側面とが形成する辺のうちのヒンジ部の近傍を面取りしてスロープを設けたことにより、表示部側筐体を閉じたときに表示部側筐体と操作部側筐体との間に空間が形成される。この空間に指を挿入することにより、表示部側筐体が自然に押し上げられて開く。従って、表示部側筐体の表示面と側面とが形成するほぼコの字形状の辺のヒンジ部近傍にスロープを設けるという簡単な構成により、容易に開くことができる折り畳み型携帯通信端末機が得られる。
【発明を実施するための最良の形態】
【００１６】
本発明は、折り畳み型携帯通信端末機の開構造において、特別なシステムを用いる事無く片手で容易に開く動作を可能にしたことを特徴とする。
図１は、本発明の一実施の形態としての折り畳み型携帯通信端末機が閉じている状態を示す外観斜視図であり、図２は、図１に示した携帯電話機が開いている状態を示す外観斜視図である。
【００１７】
図１において、一方の主面（閉じたときに隠れる面：表示部側主面）に表示部１１を有する表示部側筐体１−１と、一方の主面（閉じたときに隠れる面：操作部側主面）に操作部を有する操作部側筐体２とをヒンジ部３−１で連結し、表示部側筐体１−１の表示部１２と表示部側筐体１−１の側面５とが形成するほぼコの字形状の辺１４のうちのヒンジ部３−１の近傍を面取りしてスロープ４−１を設けた折り畳み型携帯通信端末機としての携帯電話機１０が示されている。
すなわち、同図には表示部側筐体１−１の他方の主面と、操作部側筐体２の側面が示されている。尚、操作部側筐体２の他方の主面には電池カバーが着脱自在に設けられている。
【００１８】
表示部側筐体１−１は、例えば、図２に示すような液晶ディスプレイ（プラズマディスプレイでもよい）からなる表示部１２およびスピーカ２６を有する。
操作部は、例えば、図２に示すようなダイヤルボタン２０、セレクトボタン２１、電源／終了ボタン２２、リダイヤルボタン２３、クリヤボタン２４、開始ボタン２５等のボタンおよびマイクロフォン２７を有する。
尚、表示部側筐体１−１の他方の主面（表示部１２と反対側の面）若しくは両主面にデジタルカメラを有してもよい。
【００１９】
図１に示すように表示部側筐体１−１と、操作部側筐体２との間にはスロープ４−１によって空間１１が形成されている。この空間１１の大きさは指（例えば親指）の先端が挿入可能な大きさを有するのが好ましい。
図１を参照して説明した動作を行う事により、表示部１２を有する表示部側筐体１−１と、操作部を有する操作部側筐体２とをヒンジ部３−１で連結した折り畳み型の携帯電話機１０が図２に示すように開いた状態となる。
【００２０】
図３は、図１、２に示した折り畳み型の携帯電話機を開ける時の動作をわかりやすく説明する為の表示部側筐体１−１の矢印Ｘ方向の部分拡大図である。
図３において、表示部側筐体１−１を開ける時に使う親指が滑るスロープ４−１の詳細な構成が示されている。図３に示すスロープ４−１は、図３中の「Ａ部」で表示部側筐体１−１の側面部５に滑らかに接しており、又「Ｂ部」に於いては表示部側筐体１−１の正面部６に滑らかに接する面構成を有する。
すなわち、スロープ４−１は、表示部側筐体１−１の表示側主面６と表示部側筐体１−１の側面部５とが形成する辺１４のうち、ヒンジ部３−１から離れる方向に向かって表示部側筐体１−１の一方の主面（表示部１２側の主面）と平行な面に対して徐々に傾斜してほぼ垂直になるように形成されている。
【００２１】
（実施の形態の動作の説明）
次に図１に示した携帯電話機の閉状態から図２に示した携帯電話機の開状態になる時の動作を図３に示す部分拡大図を利用して説明する。
図１において、ユーザが操作部側筐体２を左手でホールドし表示部側筐体１−１を開ける時に、表示部側筐体１−１の側面５に設けたスロープ４−１を利用し、まず図１中の「Ａ部」に左手の親指の腹を当て、Ａ→Ｂに向かって滑る様に左手の親指の腹を動かすと、親指は、スロープ４−１上を図３に示すように表示部側筐体１−１の側面部５から表示部側筐体１−１の正面部である表示部側主面６に滑らかに移動する事により、表示部側筐体１−１の表示部側主面６に左手の親指が達した時、表示部側筐体１は開く事になる。
尚、図３中Ａ、Ｂの近傍の矢印が両方向に示されているのは、スロープ４−１と側面部５との境目と、スロープ４−１と表示部側主面６との境目とが滑らかに形成されていることを示す。
【００２２】
すなわち、図１に示す折り畳み型携帯電話機を開ける時は、ユーザが操作部側筐体２を左手でホールドし、表示部側筐体１−１内に設けたスロープ４−１と操作部側筐体２との間の空間１１に左手親指を挿入することにより、親指が表示部側筐体１−１と操作部側筐体２との間にさらに挿入されると共に、表示部側筐体１−１と操作部側筐体２との間の角度が自然に大きくなってゆき、ついには最大角度（ほぼ１８０度）まで開くので、片手で容易に開ける事が可能になる。
【００２３】
（効果の説明）
以上説明したように本発明においては、以下に記載するような効果を奏する。
第１の効果は、開動作の為の専用システムである開ボタン機構等を設ける必要が無い為、部品数削減によるコスト費＆ＡＳＳＹ費（組立費）削減が可能である。又専用部品が少ない事から、小型化にも貢献可能である。
第２の効果は、ユーザが筐体をホールドする指（若しくは掌）と、開く動作を行う指とが同じ手で可能なので、ユーザが片手で容易に開く事が可能である。
第３の効果は、開く動作を行う指の動きはスロープを滑る様に動かせば良いだけの為、開く為の動作が容易であり、又自然に行う事が可能であると言う事である。
【００２４】
（本発明の他の実施の形態）
上記実施の形態は左手で開く動作を行うケースの説明であったが、本発明の他の実施の形態として、右手で行う時はスロープの取り付け位置を表示部側筐体の反対面に設けることが考えられる。その基本的構成は上記の通りであるが、以下のように構成すれば可能である。
【００２５】
図４は、本発明の他の実施の形態を示す外観斜視図である。
尚、図１から３に示した実施の形態と同様の部材には共通の符号を用いた。
図２に示した実施の形態との相違点は、スロープ４−２が表示部側筐体１−２の反対側の側面にのみ形成されている点である。
図４に示す携帯電話機３０は、表示部側筐体１−２にスロープ４−２を有することにより、携帯電話機３０が閉じているときに操作部側筐体２との間に空間１１（図１参照）と同様の空間が形成されるので、この空間にユーザが右手親指を挿入することで容易に表示部側筐体１−２を押し開くことができる。
【００２６】
（本発明のさらに他の実施の形態）
上記実施の形態は右手で開く動作を行うケースの説明であったが、本発明のさらに他の実施の形態として、左右どちらの手でも操作可能にする場合は、スロープを表示部側筐体の左右側面に左右対称に設ける事が考えられる。
図５は、本発明の他の実施の形態を示す外観斜視図である。
図４に示した実施の形態との相違点は、スロープ４−１、４−２が表示部側筐体１−３の互いに対向する両側面に形成されている点である。
図５に示す携帯電話機４０は、表示部側筐体１−３の互いに対向する両側面５にスロープ４−１、４−２を有することにより、携帯電話機４０を閉じたときに操作部側筐体２との間に空間１１（図１参照）と同様の空間が二つ形成されるので、ユーザがいずれかの空間に右手親指若しくは左手親指を挿入することで容易に表示部側筐体１−３を押し開くことができる。
【００２７】
以上において、本実施の形態によれば、表示部側筐体にスロープを設けるという簡単な構造により、ユーザが片手で容易に表示部側筐体を開くことができる。
尚、本実施の形態では携帯電話機の場合で説明したが、本発明は、これに限定されるものではなく、PDA(Personal Digital Assistants:携帯情報端末)に適用してもよい。
また、本実施の形態では、閉じたときに表示部が操作部側筐体で覆われる場合で説明したが、本発明はこれに限定されるものではなく、表示部側筐体の表裏両面に形成されている折り畳み型携帯通信端末機に適用してもよい。
【図面の簡単な説明】
【００２８】
【図１】本発明の一実施の形態としての折り畳み型携帯通信端末機が閉じている状態を示す外観斜視図である。
【図２】図１に示した携帯電話機が開いている状態を示す外観斜視図である。
【図３】図１、２に示した折り畳み型の携帯電話機を開ける時の動作をわかりやすく説明する為の表示部側筐体１−１の矢印Ｘ方向の部分拡大図である。
【図４】本発明の他の実施の形態を示す外観斜視図である。
【図５】本発明の他の実施の形態を示す外観斜視図である。
【図６】従来の折り畳み型携帯通信端末機としての折り畳み型携帯電話機の外観斜視図である。
【図７】従来の他の折り畳み型携帯通信端末機の外観斜視図である。
【符号の説明】
【００２９】
１−１、１−２、１−３    表示部側筐体
２    操作部側筐体
３−１、３−２、３−３    ヒンジ部
４−１、４−２    スロープ
５    表示部側筐体側面部
６    表示部側筐体正面部（表示部側主面）
７    開ボタン機構
８    アンテナ
１０、３０、４０    携帯電話機
１１    空間
１２    表示部
１４    辺
【図１】
2005159390.tif 000003
【図２】
2005159390.tif 000004
【図３】
2005159390.tif 000005
【図４】
2005159390.tif 000006
【図５】
2005159390.tif 000007
【図６】
2005159390.tif 000008
【図７】
2005159390.tif 000009